(57)【要約】      （修正有）【課題】画像記録時以外のバッテリの消耗を低減することでバッテリの省電力化を図り、画像記録動作に使用できる時間を延ばし、画像記録できるプリント枚数を増やす。【解決手段】電源管理システムの代表的な構成は、バッテリ７で動作し、ケーブル接続により画像データを画像データ出力装置より受信して画像記録するダイレクトプリントシステムの画像記録装置１であって、メカスイッチ５により記録シート２が給送可能な状態であることを検知し、かつメカスイッチ６により画像データを出力するために画像処理装置３と画像記録装置１を接続するインターフェースケーブル４が画像記録装置１に接続されていることを検知した場合に、画像記録装置１のシステム電源が入るように管理することを特徴とする。【選択図】図１
2006341400.tif 000002
【特許請求の範囲】
【請求項１】
バッテリで動作し、ケーブル接続により画像データを画像データ出力装置より受信して画像記録するダイレクトプリントシステムの画像記録装置であって、記録シートが給送可能な状態であることを検知する第１のスイッチと、画像データを出力するために画像データ出力装置と画像記録装置を接続するインターフェースケーブルが画像記録装置に接続されていることを検知する第２のスイッチと、を有する画像記録装置の電源管理を行う電源管理システムであって、
前記第１のスイッチが記録シートが給送可能な状態であることを検知し、かつ前記第２のスイッチがインターフェースケーブルが画像記録装置に接続されていることを検知した場合に、画像記録装置のシステム電源が入るように管理することを特徴とする電源管理システム。
【請求項２】
画像記録が終了し、記録シートを排出後、システム電源を遮断することを特徴とする請求項１に記載の電源管理システム。
【請求項３】
バッテリで動作し、ケーブル接続により画像データを画像データ出力装置より受信して画像記録するダイレクトプリントシステムの画像記録装置であって、
記録シートが給送可能な状態であることを検知する第１のスイッチと、
画像データを出力するために画像データ出力装置と画像記録装置を接続するインターフェースケーブルが画像記録装置に接続されていることを検知する第２のスイッチと、
請求項１に記載の電源管理システムと、を有することを特徴とする画像記録装置。
【請求項４】
前記第１、第２のスイッチは、メカスイッチであることを特徴とする請求項１に記載の画像記録装置。
【請求項５】
前記第１のスイッチは、記録シートが手差し挿入されたことを検知することを特徴とする請求項１又は請求項２に記載の画像記録装置。
【請求項６】
前記第１のスイッチは、記録シートを積載した給送トレイが挿入されたことを検知することを特徴とする請求項１又は請求項２に記載の画像記録装置。
【発明の詳細な説明】
【技術分野】
【０００１】
本発明は、静止画像や動画像を撮像、記録、再生する画像処理装置によって撮像された電子情報を、その画像処理装置を直接接続してプリント出力できるダイレクトプリント方式対応の画像記録装置及びこれに用いられる電源管理システムに関するものである。
【背景技術】
【０００２】
従来、静止画像や動画像を記録再生する電子カメラ等の画像処理装置と、記録した画像を印刷する画像記録装置とを通信ケーブル等で接続することによって、撮影、記録した画像を紙等の記録媒体に印刷できるダイレクトプリント方式がある。そして、ダイレクトプリント方式対応の画像記録装置において、携帯の利便性を鑑みバッテリで動作可能なものが存在する（特許文献１参照）。
【０００３】
【特許文献１】特開平１０−２４３３２７号公報
【発明の開示】
【発明が解決しようとする課題】
【０００４】
しかしながら、上記特許文献１に記載の画像形成装置では、画像記録時以外の待機時間が長いとバッテリの電力を消費し、画像記録できるプリント枚数が少なくなるという問題があった。
【０００５】
そこで本発明は、画像記録時以外のバッテリの消耗を低減することでバッテリの省電力化を図り、画像記録動作に使用できる時間を延ばし、画像記録できるプリント枚数を増やすことを目的とする。
【課題を解決するための手段】
【０００６】
上記課題を解決するために本発明に係る電源管理システムの代表的な構成は、バッテリで動作し、ケーブル接続により画像データを画像データ出力装置より受信して画像記録するダイレクトプリントシステムの画像記録装置であって、記録シートが給送可能な状態であることを検知する第１のスイッチと、画像データを出力するために画像データ出力装置と画像記録装置を接続するインターフェースケーブルが画像記録装置に接続されていることを検知する第２のスイッチと、を有する画像記録装置の電源管理を行う電源管理システムであって、前記第１のスイッチが記録シートが給送可能な状態であることを検知し、かつ前記第２のスイッチがインターフェースケーブルが画像記録装置に接続されていることを検知した場合に、画像記録装置のシステム電源が入るように管理することを特徴とする。
【発明の効果】
【０００７】
本発明によれば、画像記録時以外のバッテリの消耗を低減することでバッテリの省電力化を図り、画像記録動作に使用できる時間を延ばし、画像記録できるプリント枚数を増やすことができる。
【発明を実施するための最良の形態】
【０００８】
[第一実施形態]
本発明に係る画像記録装置及びこれに用いられる電源管理システムの第一実施形態について、図を用いて説明する。図１は本実施形態にかかる画像記録装置１の斜視図である。図２は記録シート給送し画像形成可能な状態の画像形成装置に斜視図である。図３は電源管理システムの動作を説明するフローチャートである。図４は画像記録装置の画像記録動作の説明図である。
【０００９】
（画像記録装置）
まず、画像記録装置の画像記録動作について説明する。図４に示すように、画像記録装置１は、給送手段である給送ローラ（不図示）によって記録シート２は、記録手段へ給送される。
【００１０】
記録手段であるインクジェット方式の記録ヘッド１１は、キャリッジ１２に着脱可能に積載されている。キャリッジ１２はガイド軸１３及びガイドレール（不図示）にガイドされて主走査方向に往復走査される。そして、記録シート２の搬送に伴って記録ヘッド１１からインクが吐出され、画像記録が行われる。画像記録後は、排出手段である排出ローラ（不図示）によって画像記録装置外に排出される。
【００１１】
（バッテリの省電力化）
図１に示すように、画像記録装置１は、バッテリ７で動作し、インターフェースケーブル４のケーブル接続により画像記録データを画像記録データ出力装置（画像処理装置）３より受信して画像記録するダイレクトプリントシステムの画像記録装置である。
【００１２】
画像処理装置３は、静止画像や動画像を記録再生する電子カメラ等の画像処理装置である。インターフェースケーブル４は、画像記録データを供給するために画像処理装置３と画像記録装置１を接続する。インターフェースケーブル４は、画像記録に必要なデータや画像記録に関する制御が行なえるユーザーインターフェースを備えている。インターフェースケーブル４は、ＵＳＢ、ＩＥＥＥ１３９４等の各種通信機能に使用されるケーブル又は専用のケーブルである。
【００１３】
バッテリ７は、画像記録装置１に装着されており、画像記録装置１に駆動電力を供給する。
【００１４】
画像記録装置１は、第１のスイッチ（メカスイッチ）５、第２のスイッチ（メカスイッチ）６、電源管理システム10を有している。メカスイッチ５は、記録シート２が給送可能な状態であることを検知する。メカスイッチ６は、インターフェースケーブル４が画像記録装置に接続されていることを検知する。
【００１５】
メカスイッチ５、６は、記録シート２の装着、インターフェースケーブル４の装着に機械的に連動してＯＮ、ＯＦＦ可能なスイッチである。このようなメカスイッチ５、６を用いることで、簡単な構成で、記録シート２の装着、インターフェースケーブル４の装着を検知することができ、コストをおさえることができる。
【００１６】
電源管理システム１０は、画像記録装置１の電源管理を行う。具体的には、電源管理システム１０は、メカスイッチ５が記録シート２が給送可能な状態であることを検知し、かつメカスイッチ６がインターフェースケーブル４が画像記録装置１に接続されていることを検知した場合に、画像記録装置１のシステム電源が入るように管理する。
【００１７】
記録シート２が給送可能な状態であるか否かの検知は、印刷用の記録シート２が画像記録装置１の挿入排出口８から画像記録装置本体内へ手差し挿入されたことを検知することで行う。
【００１８】
挿入排出口８は、画像記録装置１に記録シートを挿入又は画像記録装置が記録シートを排出する。挿入口９は、インターフェースケーブル４を挿入可能である。
【００１９】
（電源管理システム１０の動作）
次に、電源管理システムの動作について説明する。図３に示すように、まず、記録シート２が手差し挿入されておらず、画像データ送信用のインターフェースケーブル４は装着されていない。この場合、メカスイッチ５、６がＯＦＦとなっており、システム電源は投入されないスタンバイ状態となっている（Ｓ１）。
【００２０】
次に、使用者が画像処理装置３に接続したインターフェースケーブル４を画像データ送信用のインターフェースケーブル挿入口９に装着する。これによりメカスイッチ６がインターフェースケーブル４の挿入を検知し、メカスイッチ６がＯＮになる。一方、インターフェースケーブル４が挿入されておらず、メカスイッチ６がＯＦＦの場合には、Ｓ１のスタンバイ状態で待機する（Ｓ２）。
【００２１】
次に、記録シート２を記録シート挿入排出口８に挿入する。これによりメカスイッチ５が記録シート２の挿入を検知し、メカスイッチ５がＯＮになる。一方、記録シート２が挿入されず、メカスイッチ５がＯＦＦの場合には、Ｓ１のスタンバイ状態で待機する（Ｓ３）。
【００２２】
そして、メカスイッチ５、６の両方がＯＮになることで、システム電源が投入され、画像記録可能な状態となる（Ｓ４）。
【００２３】
そして、図２に示すように、記録シート２が画像記録可能な所定の位置まで搬送され、画像処理装置３から画像データを受信し、画像記録を行う。画像記録が終了した場合には、（Ｓ５）、記録シート２を記録シート挿入排出口８から排出した後、システム電源を遮断する（Ｓ６）。
【００２４】
尚、記録シート２、インターフェースケーブル４の装着の順番が逆になる場合でも、双方のメカスイッチ５、６がＯＮしない場合はシステムの電源が投入される事はない。
【００２５】
上述のごとく、記録シート２、インターフェースケーブル４が装着されるまでは、システムの電源が投入されないようにすることで、画像記録時以外のバッテリ７の消耗を低減することができ、バッテリ７の省電力化を図り、画像記録動作に使用できる時間を延ばし、画像記録できるプリント枚数を増やすことができる。
【００２６】
[第二実施形態]
次に本発明に係る画像記録装置及びこれに用いられる電源管理システムの第二実施形態について図を用いて説明する。図５は本実施形態にかかる画像記録装置の斜視図である。上記第一実施形態と説明の重複する部分については、同一の符号を付して説明を省略する。
【００２７】
図５に示すように、本実施形態にかかる画像記録装置２１は、手差し式の上記第一実施形態の画像記録装置１に変えて、給送トレイ２２を用いた給送式の画像形成装置としたものである。また、画像記録装置２１は、記録シート２の挿入を検知するメカスイッチ５、記録シート挿入排出口８に変えて、給送トレイ２２の挿入を検知するメカスイッチ２５、給送トレイ挿入口２８を用いたものである。
【００２８】
給送トレイ２２のトレイ内には、画像記録用の記録シート２が挿入される。給送トレイ挿入口２８は、画像記録装置２１に給送トレイ２２を装着するための挿入口である。
【００２９】
給送トレイ２２を給送トレイ挿入口２８に装着することにより記録シートが給送可能な状態となる。メカスイッチ２５は、給送トレイ２２が給送トレイ挿入口２８に装着されてことを検知して、記録シート２が給送可能な状態であることを検知する。
【００３０】
画像記録装置２１は、給送トレイ２２とインターフェースケーブル４が装着されていない場合は、メカスイッチ６、２５がＯＦＦとなり、システム電源は投入されないスタンバイ状態となる。
【００３１】
そして、使用者が給送トレイ２２を給送トレイ挿入口２８に装着する事により給送トレイ２２の挿入を検知するメカスイッチ２５がＯＮになる。次に、画像処理装置３を接続したインターフェースケーブル４をインターフェースケーブル挿入口９に装着する事によりメカスイッチ６がＯＮになる。
【００３２】
このように、メカスイッチ６、２５の両方がＯＮになることで、バッテリ７を使用してシステム電源が投入され、画像記録装置は画像記録が可能になる。
【００３３】
尚、インターフェースケーブル４、給送トレイ２２の装着の順番が逆になる場合でも、双方のメカスイッチ６、２５がＯＮしない場合はシステムの電源が投入される事はない。
【００３４】
上述のごとく、給送トレイ２２、インターフェースケーブル４が装着されるまでは、システムの電源が投入されないようにすることで、上記第一実施形態と同様に、画像記録時以外のバッテリ７の消耗を低減することで、バッテリ７の省電力化を図り、画像記録動作に使用できる時間を延ばし、画像記録できるプリント枚数を増やすことができる。
【図面の簡単な説明】
【００３５】
【図１】第一実施形態にかかる画像記録装置の斜視図である。
【図２】記録シート給送し画像形成可能な状態の画像形成装置に斜視図である。
【図３】電源管理システムの動作を説明するフローチャートである。
【図４】画像記録動作の説明図である。
【図５】第二実施形態にかかる画像記録装置の斜視図である。
【符号の説明】
【００３６】
１    …画像記録装置
２    …記録シート
３    …画像処理装置
４    …インターフェースケーブル
５    …メカスイッチ
６    …メカスイッチ
７    …バッテリ
８    …挿入排出口
９    …インターフェースケーブル挿入口
１０  …電源管理システム
１１  …記録ヘッド
１２  …キャリッジ
２１  …画像記録装置
２２  …給送トレイ
２５  …メカスイッチ
２８  …給送トレイ挿入口
【図１】
2006341400.tif 000003
【図２】
2006341400.tif 000004
【図３】
2006341400.tif 000005
【図４】
2006341400.tif 000006
【図５】
2006341400.tif 000007